(57)【要約】【課題】光記録媒体ごとに最適な記録条件を設定でき好適な記録が可能となる光記録媒体を提供する。【解決手段】基板１０１と該基板上に設けられる多層の記録層１０２，１０５とを備え、レーザ光の照射により前記記録層１０２，１０５に光学的性質の変化を生じさせて情報の記録を行う光記録媒体１００において、予め、当該光記録媒体１００の記録条件に関する判断情報がレーザ光照射により読み取り可能に記録されている。【選択図】図１
2007080406.tif 000002
【特許請求の範囲】
【請求項１】
基板と該基板上に設けられる多層の記録層とを備え、レーザ光の照射により前記記録層に光学的性質の変化を生じさせて情報の記録を行う光記録媒体において、
予め、当該光記録媒体の記録条件に関する判断情報がレーザ光照射により読み取り可能に記録されていることを特徴とする光記録媒体。
【請求項２】
前記判断情報は、前記記録層の形成方法に関するものであることを特徴とする請求項１に記載の光記録媒体。
【請求項３】
前記判断情報は、前記基板への情報記録の有無により前記記録層の形成方法の種類が識別されるものであることを特徴とする請求項２に記載の光記録媒体。
【請求項４】
前記記録層に情報を記録するときにレーザ光を走査させる案内溝を有する光記録媒体であって、
前記判断情報は、前記案内溝の凹部凸部それぞれの上に設けられる記録層の厚さが前記記録層の形成方法により異なることを示すものであることを特徴とする請求項２に記載の光記録媒体。
【請求項５】
前記記録層は、液体状態の記録層材料が塗布されて形成されたものであることを特徴とする請求項２に記載の光記録媒体。
【請求項６】
前記判断情報は、前記記録層に情報を記録するときにレーザ光を走査させる案内溝の蛇行として記録されていることを特徴とする請求項１に記載の光記録媒体。
【請求項７】
前記判断情報は、位相変調された情報として記録されたものであることを特徴とする請求項１に記載の光記録媒体。
【請求項８】
前記判断情報は、当該光記録媒体のメーカー情報またはバージョン情報に含まれて記録されたものであることを特徴とする請求項１に記載の光記録媒体。
【請求項９】
当該光記録媒体がＤＶＤ＋Ｒ記録媒体またはＤＶＤ＋ＲＷ記録媒体である場合において、
前記判断情報は、当該光記録媒体のリビジョン情報に含まれて記録されたものであることを特徴とする請求項１に記載の光記録媒体。
【請求項１０】
前記リビジョン情報が１バイトの情報である場合、前記判断情報はこのうち上位５Ｂｉｔ以内で記録されていることを特徴とする請求項９に記載の光記録媒体。
【発明の詳細な説明】
【技術分野】
【０００１】
本発明は光記録媒体、特に記録可能なコンパクトディスク（ＣＤ−Ｒ／ＲＷ）及びＤＶＤ−Ｒ/ＲＷ，ＤＶＤ＋Ｒ/+ＲＷなどの光記録媒体に応用されるものである。
【背景技術】
【０００２】
情報記録媒体の記憶容量は、年々増加の一途をたどり、そのため、様々な方法が検討されている。光記録媒体（光ディスク）では、その１つとしてデータ面を複数もつ（多層の記録層をもつ）光記録媒体が検討されている。
【０００３】
ここで、バルク状態の光記録媒体にサーボ層を予め形成しておき、これによりフォーカスとトラッキングのサーボを行いながらサーボ層に対応した位置のデータ層に正確に記録する技術が開示されている（例えば、特許文献１参照。）。従来の光記録媒体は、このように記録再生する際のサーボ信号を何らかの形で光記録媒体に埋め込んでおくものであり、そのサーボ信号に従えば良好な記録が可能であった。
【０００４】
【特許文献１】特開２００２−３１２９５８号公報
【特許文献２】特開２００２−６３７３８号公報
【特許文献３】特開２００３−８５７６１号公報
【特許文献４】国際公開ＷＯ０１／０９９１０３号公報
【特許文献５】特許第３１２８３１３号公報
【特許文献６】特開平７−５００１４号公報
【特許文献７】特許第３６４３１７９号公報
【特許文献８】特許第３２０９１２６号公報
【特許文献９】特開２００１−６７７２１号公報
【発明の開示】
【発明が解決しようとする課題】
【０００５】
しかしながら、光記録媒体には数多くの種類がありサーボ特性や記録方法が異なり、その光記録媒体の種類に応じた適切な記録が困難であり、さらに記録品質の劣化のために記録及び再生ができないことがあった。
【０００６】
本発明は、以上の従来技術における問題に鑑みてなされたものであり、光記録媒体ごとに最適な記録条件を設定でき好適な記録が可能となる光記録媒体を提供することを目的とする。
【課題を解決するための手段】
【０００７】
本発明者らは、多層光記録媒体ではその製造方法によりサーボ特性や記録方法が異なっていることに着目し、鋭意検討を重ねた結果、上記課題は次の（１）〜（１０）の発明によって解決されることを見出した。すなわち、
（１）  基板と該基板上に設けられる多層の記録層とを備え、レーザ光の照射により前記記録層に光学的性質の変化を生じさせて情報の記録を行う光記録媒体において、予め、当該光記録媒体の記録条件に関する判断情報がレーザ光照射により読み取り可能に記録されていることを特徴とする光記録媒体。
（２）  前記判断情報は、前記記録層の形成方法に関するものであることを特徴とする前記（１）に記載の光記録媒体。
（３）  前記判断情報は、前記基板への情報記録の有無により前記記録層の形成方法の種類が識別されるものであることを特徴とする前記（２）に記載の光記録媒体。
（４）  前記記録層に情報を記録するときにレーザ光を走査させる案内溝を有する光記録媒体であって、前記判断情報は、前記案内溝の凹部凸部それぞれの上に設けられる記録層の厚さが前記記録層の形成方法により異なることを示すものであることを特徴とする前記（２）に記載の光記録媒体。
（５）  前記記録層は、液体状態の記録層材料が塗布されて形成されたものであることを特徴とする前記（２）に記載の光記録媒体。
（６）  前記判断情報は、前記記録層に情報を記録するときにレーザ光を走査させる案内溝の蛇行として記録されていることを特徴とする前記（１）に記載の光記録媒体。
（７）  前記判断情報は、位相変調された情報として記録されたものであることを特徴とする前記（１）に記載の光記録媒体。
（８）  前記判断情報は、当該光記録媒体のメーカー情報またはバージョン情報に含まれて記録されたものであることを特徴とする前記（１）に記載の光記録媒体。
（９）  当該光記録媒体がＤＶＤ＋Ｒ記録媒体またはＤＶＤ＋ＲＷ記録媒体である場合において、前記判断情報は、当該光記録媒体のリビジョン情報に含まれて記録されたものであることを特徴とする前記（１）に記載の光記録媒体。
（１０）  前記リビジョン情報が１バイトの情報である場合、前記判断情報はこのうち上位５Ｂｉｔ以内で記録されていることを特徴とする前記（９）に記載の光記録媒体。
【発明の効果】
【０００８】
本発明の効果として、請求項１の発明によれば、前記判断情報に基づいて光記録媒体ごとに最適な記録条件を設定でき好適な記録が可能となる。
請求項２〜４の発明によれば、記録層の形成方法に関する情報に基づいて光記録媒体ごとに最適な記録条件を設定でき好適な記録が可能となる。とくに記録層が複数存在する光記録媒体に対して好適である。
請求項５の発明によれば、再生装置に影響しない前記判断情報を備えた光記録媒体を提供することができる。
請求項６の発明によれば、記録用案内溝に前記判断情報を付加することにより、該判断情報の高密度化を図ることができる。
請求項７〜１０の発明によれば、従来の記録装置に影響しない前記判断情報を備えた光記録媒体を提供することができる。
【発明を実施するための最良の形態】
【０００９】
以下に、本発明に係る光記録媒体の構成について説明する。
本発明に係る光記録媒体は、基板と該基板上に設けられる多層の記録層とを備え、レーザ光の照射により前記記録層に光学的性質の変化を生じさせて情報の記録を行う光記録媒体において、予め、当該光記録媒体の記録条件に関する判断情報がレーザ光照射により読み取り可能に記録されていることを特徴とするものである。
【００１０】
本発明でいう光記録媒体とは、例えばＤＶＤ−ＲＡＭ・ＷＯ、ＤＶＤ−Ｒ、ＤＶＤ＋ＲとＤＶＤ−ＲＡＭ、ＤＶＤ−ＲＷ、ＤＶＤ＋ＲＷ記録媒体であり、書き込みが可能な（記録可能な）ＤＶＤ（Digital Versatile Disc）である。なお、前者のＤＶＤ−ＲＡＭ・ＷＯ、ＤＶＤ−Ｒ、ＤＶＤ＋Ｒは、１回だけ書き込みが可能なＤＶＤである（なお、ＤＶＤ Ｗｒｉｔｅ Ｏｎｃｅともいわれている）。また、後者のＤＶＤ−ＲＡＭ、ＤＶＤ−ＲＷ、ＤＶＤ＋ＲＷは、複数回の書き込みが可能なＤＶＤである。
【００１１】
ここで、記録層と基板の間には下引き層又は保護層を設けてもよく、機能向上のため各層を２層以上の積層構造とした構成でも良い。その構成例を図１、図２に示す。
【００１２】
図１に、本発明の光記録媒体１００として、記録光の入射側の第１基板１０１／Ｌ０記録層１０２／Ｌ０反射層１０３／接着層（図示せず）／Ｌ１記録層１０５／Ｌ１反射層１０６／第２基板（保護基板）１０７からなる構造例を示す。
【００１３】
また図２に、本発明の光記録媒体２００として、記録光の入射側の第１基板２０１／Ｌ０記録層２０２／Ｌ０反射層２０３／Ｌ１記録用案内溝形成層２０４／Ｌ１記録層２０５／Ｌ１反射層２０６／第２基板（保護基板）２０７からなる構造例を示す。なお、光記録媒体１００，２００の各層の構成材料は同じものでよい。
【００１４】
第１基板１０１，２０１は、光記録媒体が基板側から記録再生を行なうものである場合には使用レーザに対して透明でなければならないが、記録層側から記録再生を行なうものである場合には透明である必要はない。基板材料としては、例えばポリエステル樹脂、アクリル樹脂、ポリアミド樹脂、ポリカーボネート樹脂、ポリオレフィン樹脂、フェノール樹脂、エポキシ樹脂、ポリイミド樹脂などのプラスチック、或いは、ガラス、セラミック、金属などを用いることができる。なお、基板の表面にはトラッキング用の案内溝や案内ピット、更にアドレス信号などのプリフォーマットが形成されていても良い。
【００１５】
記録層１０２，１０５，２０２，２０５は、レーザ光の照射により何らかの光学的変化を生じさせ、その変化により情報を記録するものであり、その材料としては有機色素を主成分とするものを用いる。ここで、主成分とは、記録再生に必要十分な量の有機色素を含有することを意味するが、通常は、必要に応じて適宜添加する少量の添加剤を除き、有機色素のみを用いる。なお、記録層は有機色素層単層でも、反射率を高めるため有機色素層と反射層との積層でも良い。
【００１６】
有機色素の例としては、アゾ系、ホルマザン系、ジピロメテン系、（ポリ）メチン系、ナフタロシアニン系、フタロシアニン系、テトラアザポルフィリン系、スクアリリウム系、クロコニウム系、ピリリウム系、ナフトキノン系、アントラキノン系（インダンスレン系）、キサンテン系、トリフェニルメタン系、アズレン系、テトラヒドロコリン系、フェナンスレン系、トリフェノチアジン系色素、或いはそれらの金属錯体などが挙げられる。中でも好ましいのは、アゾ（金属キレート）色素、ホルマザン（金属キレート）色素、スクアリリウム（金属キレート）色素、ジピロメテン（金属キレート）色素、トリメチンシアニン色素、テトラアザポルフィリン色素である。
【００１７】
上記色素は熱分解特性として、分解開始温度１００〜３６０℃のものが好ましく、特に１００〜３５０℃のものが好ましい。分解開始温度が３６０℃を越えると記録時のピット形成がうまく行われずジッタ特性が悪くなる。また、１００℃未満であるとディスクの保存安定性が悪化する。
【００１８】
上記色素には光学特性、記録感度、信号特性などの向上の目的で他の有機色素、金属、金属化合物を混合してもよく、或いは色素層と他の有機色素、金属、金属化合物からなる層を積層しても良い。
【００１９】
このような金属、金属化合物の例としては、Ｉｎ、Ｔｅ、Ｂｉ、Ｓｅ、Ｓｂ、Ｇｅ、Ｓｎ、Ａｌ、Ｂｅ、ＴｅＯ２、ＳｎＯ、Ａｓ、Ｃｄなどが挙げられ、それぞれを分散混合するか或いは積層して用いることができる。
【００２０】
更に、上記染料中に高分子材料、例えばアイオノマー樹脂、ポリアミド樹脂、ビニル系樹脂、天然高分子、シリコーン、液状ゴムなどの種々の材料、或いはシランカップリング剤などを分散混合しても良いし、特性改良の目的で安定剤（例えば遷移金属錯体）、分散剤、難燃剤、滑剤、帯電防止剤、界面活性剤、可塑剤などを一緒に用いることも出来る。
【００２１】
記録層１０２，１０５，２０２，２０５の形成は、蒸着、スパッタリング、ＣＶＤ、溶剤塗布などの通常の手段によって行うことができる。塗布法を用いる場合には、上記染料などを有機溶剤に溶解し、スプレー、ローラーコーティグ、ディッピング、スピンコーティングなどの慣用のコーティング法によって行うことが出来る。
用いられる有機溶媒としては一般にメタノール、エタノール、イソプロパノールなどのアルコール類；アセトン、メチルエチルケトン、シクロヘキサノンなどのケトン類；Ｎ，Ｎ−ジメチルホルムアミド、Ｎ，Ｎ−ジメチルアセトアミドなどのアミド類；ジメチルスルホキシドなどのスルホキシド類；テトラヒドロフラン、ジオキサン、ジエチルエーテル、エチレングリコールモノメチルエーテルなどのエーテル類；酢酸メチル、酢酸エチルなどのエステル類；クロロホルム、塩化メチレン、ジクロルエタン、四塩化炭素、トリクロルエタンなどの脂肪族ハロゲン化炭化水素類；ベンゼン、キシレン、モノクロルベンゼン、ジクロルベンゼンなどの芳香族類；メトキシエタノール、エトキシエタノールなどのセロソルブ類；ヘキサン、ペンタン、シクロヘキサン、メチルシクロヘキサンなどの炭化水素類などが挙げられる。
【００２２】
記録層１０２，１０５，２０２，２０５の膜厚は１０ｎｍ(１００Å)〜１０μｍ、好ましくは２０〜２００ｎｍ（２００〜２０００Å）が適当である。
【００２３】
反射層１０３，１０６，２０３，２０６の材料としては、Ａｕ、Ａｇ、Ｃｒ、Ｎｉ、Ａｌ、Ｆｅ、Ｓｎなどの単体で高反射率の得られる腐食され難い金属や半金属が挙げられるが、反射率や生産性の点からＡｕ、Ａｇ、Ａｌが特に好ましい。また、これらの金属や半金属は単独で使用しても２種以上の合金として使用しても良い。膜形成法としては蒸着、スッパタリングなどが挙げられ、膜厚としては、５〜５００ｎｍ（５０〜５０００Å）、好ましくは、１０〜３００ｎｍ（１００〜３０００Å）である。
【００２４】
接着層の材料としては、２枚の記録媒体を接着できる材料なら何でもよく、生産性を考慮すると、紫外線硬化型接着剤又はホットメルト型接着剤が好ましい。また、Ｌ１記録用案内溝形成層２０４としては紫外線硬化型樹脂が好適である。この場合、Ｌ１記録用案内溝を形成するスタンパの剥離に適した材料が好適である。
【００２５】
また、Ｌ０反射層１０２，２０２への腐食を抑えるため下引き層を設けることも好適である。
下引き層は、（１）接着性の向上、（２）水又はガスなどのバリアー、（３）記録層の保存安定性の向上、（４）反射率の向上、（５）溶剤からの基板の保護、（６）案内溝、案内ピット、プレフォーマットの形成などの目的で設けられる。
【００２６】
前記（１）の目的に対しては、アイオノマー樹脂、ポリアミド樹脂、ビニル樹脂、天然樹脂、天然高分子、シリコーン、液状ゴムなどの種々の高分子化合物、又はシランカップリング剤などを用いることができる。前記（２）及び（３）の目的に対しては、上記高分子材料以外に、ＳｉＯ、ＭｇＦ、ＳｉＯ２、ＴｉＯ、ＺｎＯ、ＴｉＮ、ＳｉＮなどの無機化合物を用いることができ、更に、Ｚｎ、Ｃｕ、Ｎｉ、Ｃｒ、Ｇｅ、Ｓｅ、Ａｕ、Ａｇ、Ａｌなどの金属又は半金属を用いることができる。前記（４）の目的に対しては、Ａｌ、Ａｕ、Ａｇ等の金属や、メチン染料、キサンテン系染料などからなる金属光沢を有する有機薄膜を用いることができる。前記（５）及び（６）の目的に対しては、紫外線硬化樹脂、熱硬化樹脂、熱可塑性樹脂などを用いることができる。
【００２７】
下引き層の膜厚としては、０．０１〜３０μｍ、好ましくは、０．０５〜１０μｍが適当である。
【００２８】
保護層及び基板面ハードコート層は、（１）記録層（反射吸収層）の傷、ホコリ、汚れ等からの保護、（２）記録層（反射吸収層）の保存安定性の向上、（３）反射率の向上等を目的として使用される。これらの目的に対しては、前記下引き層と同じ材料を用いることができる。また、ポリメチルアクリレート樹脂、ポリカーボネート樹脂、エポキシ樹脂、ポリスチレン樹脂、ポリエステル樹脂、セルロース樹脂、脂肪族炭化水素樹脂、天然ゴム、スチレンブタジエン樹脂、クロロプレンゴム、ワックス、アルキッド樹脂、乾性油、ロジン等の熱軟化性、熱溶融性樹脂などの有機材料を用いることもできる。最も好ましいのは生産性に優れた紫外線硬化樹脂である。
【００２９】
保護層又は基板面ハードコート層の膜厚は、０．０１〜３０μｍ、好ましくは０．０５〜１０μｍである。
【００３０】
上記下引き層、保護層及び基板面ハードコート層には、記録層の場合と同様に安定剤、分散剤、難燃剤、滑剤、帯電防止剤、界面活性剤、可塑剤等を含有させることができる。
【００３１】
第２基板１０７，２０７は、該第２基板（保護基板）側からレーザ光を照射する場合には、使用レーザ光に対して透明でなければならないが、単なる保護板として用いる場合には透明でなくてもよい。使用可能な保護基板材料は前記基板材料と全く同じであり、ポリエステル樹脂、アクリル樹脂、ポリアミド樹脂、ポリカーボネート樹脂、ポリオレフィン樹脂、フェノール樹脂、エポキシ樹脂、ポリイミド樹脂などのプラスチック、又はガラス、セラミック、金属などを用いることができる。また、第１基板１０１，２０１と同じ材料を用いることでコストを低減することができる。
【００３２】
ここで、光記録媒体の記録条件に関する判断情報となる光記録媒体の製造方法としては大きく２つの方法がある。
第１の方法として、第１基板１０１上にＬ０記録層１０２およびＬ０反射層１０３を形成し、第２基板１０７上にＬ１反射層１０６およびＬ１記録層１０５を形成し接着層にて張り合わせる逆積層法があげられる。
また、第２の方法として、第１基板２０１上にＬ０記録層２０２およびＬ０反射層２０３を形成したあと、Ｌ１記録用案内溝形成層２０４上に記録用案内溝を形成しそのうえにＬ１記録層２０５およびＬ１反射層２０６を形成後、第２基板２０７を接着する２Ｐ（フォトポリマ）法が挙げられる。
【００３３】
この２つの方法では、Ｌ０記録層およびＬ１記録層を形成するときの各記録用案内溝と記録光の入射方向に差が生じる。たとえば、逆積層法では、Ｌ０記録層１０２は入射光側の第１基板１０１の記録用案内溝が切られた面上に形成され、Ｌ１記録層１０５は入射光と反対側の第２基板１０７の記録用案内溝が切られた面上に形成される。しかし、２Ｐ法では、Ｌ０記録層２０１、Ｌ１記録層２０５はそれぞれ入射光側の第１基板２０１上、Ｌ１記録用案内溝形成層２０４上のそれぞれ記録用案内溝が切られた面上に形成されている。ここで、記録層が液体状態の記録層材料の塗布により形成される場合、記録用案内溝の凸凹により、厚さが異なるものとなる。そのため、前記二つの製造方法では入射光側から見たＬ１記録用案内溝（逆積層法においては第２基板１０７の記録用案内溝、２Ｐ法においてはＬ１記録用案内溝形成層２０４の記録用案内溝）の凹凸に対するＬ１記録層１０５，２０５の厚さが異なり、それぞれの光記録媒体への記録に最適なサーボ条件および記録光発光波形の形状に差異が生じることとなる。
【００３４】
本発明の光記録媒体に予め記録されている、当該光記録媒体の記録条件に関する判断情報は、前記のような光記録媒体の製造方法に関する情報であることが好ましく、より好ましくは前記記録層の形成方法に関するものである。また、該判断情報は、前記記録用案内溝の凹部凸部それぞれの上に設けられる記録層の厚さが前記記録層の形成方法により異なることを示すものであることがさらに好ましい。
【００３５】
また、当該光記録媒体の記録条件に関する判断情報は、基板への情報記録の有無により前記記録層の形成方法の種類が識別されるものとしてもよい。例えば、逆積層法によるものの場合には基板１０１に所定の情報の記録があり、２Ｐ法によるものの場合には基板２０１に所定の情報の記録がないものとする。
【００３６】
あるいは、前記判断情報の形式として、光記録媒体メーカーが任意に入れることができる当該光記録媒体のメーカー情報またはバージョン情報に該判断情報を入れるようにすることが好ましい。
【００３７】
また、光記録媒体がＤＶＤ＋Ｒ記録媒体またはＤＶＤ＋ＲＷ記録媒体である場合において、前記判断情報は、メーカーが任意に記載できる当該光記録媒体のリビジョン情報に含まれて記録されたものとするとよい。これにより、既存ドライブとの互換性を考慮する必要がなくなる。また、このとき前記リビジョン情報が１バイトの情報である場合、前記判断情報はこのうち上位５Ｂｉｔ以内で記録されていることが好適である。
【００３８】
このような光記録媒体の記録条件に関する判断情報は、前記記録層に情報を記録するときにレーザ光を走査させる案内溝（第１基板１０１及び／又は第２基板１０７の記録用案内溝、第１基板２０１及び／又はＬ１記録用案内溝形成層２０４の記録用案内溝）の蛇行として記録されていることが好ましい。また、該判断情報は、位相変調された情報として記録されたものとするとよい。これにより、後述の記録装置において、記録層への記録時に記録用案内溝を走査して読み取られる他の情報とともに光記録媒体の記録条件に関する判断情報を取得することができる。
【００３９】
以上のように、光記録媒体の記録条件に関する判断情報の識別方法として、記録用案内溝に情報を付加することにより、記録装置にのみ情報が読み取れ、再生装置の互換性を考慮する必要がなくなる。また、高周波数の信号に位相変調法にて記載することにより、記録密度を向上させることができる。
【００４０】
なお、本実施形態では２層の記録層を有する光記録媒体の例を示したが、さらに多くの記録層を有する光記録媒体においても記録用案内溝と記録層の形成方法は本質的な差はなく、本発明を実施することは可能である。
【００４１】
本発明の光記録媒体は、図３に示すような記録装置によって情報の記録再生が行われる。
図３は、光記録媒体の記録装置について、その要部構成の一例を示す機能ブロック図である。図において、１００(２００)は光記録媒体、２はスピンドルモータ、３は光ピックアップ、４はモータドライバ、５はリードアンプ、６はサーボ手段、７はＤＶＤデコーダ、８はＡＤＩＰデコーダ、９はレーザコントローラ、１０はＤＶＤエンコーダ、１１はＤＶＤ−ＲＯＭエンコーダ、１２はバッファＲＡＭ、１３はバッファマネージャ、１４はＤＶＤ−ＲＯＭデコーダ、１５はＡＴＡＰＩ／ＳＣＳＩインターフェース、１６はＤ／Ａコンバータ、１７はＲＯＭ、１８はＣＰＵ、１９はＲＡＭ、２０はパルスジェネレータを示し、ＬＢはレーザ光、Ａｕｄｉｏはオーディオ出力信号を示す。
【００４２】
この図３において、矢印はデータが主に流れる方向を示しており、また、図を簡略化するために、図３の各ブロックを制御するＣＰＵ１８には、太線のみを付けて各ブロックとの接続を省略している。ＲＯＭ１７には、ＣＰＵ１８にて解読可能なコードで記述された制御プログラムが格納されている。なお、光記録媒体の記録装置の電源がオン状態になると、前記プログラムは不図示のメインメモリにロードされ、前記ＣＰＵ１８はそのプログラムに従って上記各部の動作を制御するとともに、制御に必要なデータ等を一時的にＲＡＭ１９に保存する。光記録媒体の記録装置の構成と動作は、次のとおりである。光記録媒体１００(２００)は、スピンドルモータ２によって回転駆動される。このスピンドルモータ２は、モータドライバ４とサーボ手段５により、線速度または角速度が一定になるように制御される。この線速度又は角速度は、階段的に変更することが可能である。
【００４３】
光ピックアップ３は、図示されない半導体レーザ、光学系、フォーカスアクチュエータ、トラックアクチュエータ、受光素子およびポジションセンサを内蔵しており、レーザ光ＬＢを光記録媒体１００(２００)に照射する。また、この光ピックアップ３は、シークモータによってスレッジ方向への移動が可能である。これらのフォーカスアクチュエータ、トラックアクチュエータ、シークモータは、受光素子とポジションセンサから得られる信号に基いて、モータドライバ４とサーボ手段５により、レーザ光ＬＢのスポットが光記録媒体１００（２００）上の目的の場所に位置するように制御される。
【００４４】
そして、リード時には、光ピックアップ３によって得られた再生信号が、リードアンプ５で増幅されて２値化される。リードアンプ内では主に最長信号振幅を規格化する過程と最記録マーク信号を増幅する波形等価機能を経て２値化される。入力された２値化データは、このＤＶＤデコーダ７において、８／１６復調される。なお、記録データは、８ビットずつまとめられて変調（８／１６変調）されており、この変調では、８ビットを１６ビットに変換している。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
【００４５】
復調されたデータは、デインターリーブとエラー訂正の処理が行われる。その後、このデータは、ＤＶＤ−ＲＯＭデコーダ１４へ入力され、データの信頼性を高めるために、さらに、エラー訂正の処理が行われる。このように２回のエラー訂正の処理が行われたデータは、バッファマネージャ１３によって一旦バッファＲＡＭ１２に蓄えられ、セクタデータとして揃った状態で、ＡＴＡＰＩ／ＳＣＳＩインターフェース１５を介して、図示しないホストコンピュータへ一気に転送される。なお、音楽データの場合には、ＤＶＤデコーダ７から出力されたデータが、Ｄ／Ａコンバータ１６へ入力され、アナログのオーディオ出力信号Ａｕｄｉｏとして取り出される。
【００４６】
また、ライト時には、ＡＴＡＰＩ／ＳＣＳＩインターフェース１５を通して、ホストコンピュータから送られてきたデータは、バッファマネージャ１３によって一旦バッファＲＡＭ１２に蓄えられる。その後ライト動作が開始されるが、この場合には、その前にレーザスポットを書き込み開始地点に位置させる必要がある。この地点は、ＤＶＤ＋ＲＷ／＋Ｒでは、予め光記録媒体１００(２００)上にトラックの蛇行により刻まれているウォブル信号によって求められる。
【００４７】
なお、上記地点はＤＶＤ−ＲＷ／−Ｒではウォブル信号の代わりにランドプリピット、ＤＶＤ−ＲＡＭ／ＲＡＭ・ＷＯではプリピットによって求められる。
【００４８】
ＤＶＤ＋ＲＷ／＋Ｒ記録媒体におけるウォブル信号には、ＡＤＩＰ（ADress In Pre-groove）と呼ばれるアドレス情報が含まれており、この情報が、ＡＤＩＰデコーダ８によって取り出される。また、このＡＤＩＰデコーダ８によって生成される同期信号は、ＤＶＤエンコーダ１０へ入力され、光記録媒体１００(２００)上の正確な位置へのデータの書き込みを可能にしている。バッファＲＡＭ１２のデータは、ＤＶＤ−ＲＯＭエンコーダ１１やＤＶＤエンコーダ１０において、エラー訂正コードの付加や、インターリーブが行われ記録用の信号として８／１６変換される。
【００４９】
記録用に変調された信号はパルスジェネレータ２０において記録媒体に適した記録光波形に変換され、レーザコントローラ９、光ピックアップ３を介して、光記録媒体１００(２００)に記録される。光ピックアップの効率の補正には記録光の回折光を直接に受光素子により測定し、そのパワー変動によりレーザーコントローラ９の記録パワーを変更することが可能である。光記録媒体に対する記録パワーの補正方法として記録後発光時の反射光の変動から、光記録媒体に対する記録パワーの効率を測定しレーザーコントローラ９の記録パワーを補正することが可能である。アドレスの制御方法はランドプリピットやプリピットからアドレス情報を得る構成であっても良い。
【００５０】
図４は、この光記録媒体の記録装置を使用した情報処理装置の概略図である。
情報処理装置５０は、光ディスク装置（記録装置）５１、主制御装置５２、インターフェース５３、記録装置（ＨＤＤ）５４、入力装置５５及び表示装置５６などを備えている。
【００５１】
主制御装置５２ は、マイクロコンピュータ、メインメモリ（いずれも不図示）などを含んで構成され、情報処理装置５０の全体を制御する。
【００５２】
前記インターフェース５３は、光記録媒体の記録装置５１との双方向の通信インターフェースであり、ＡＴＡＰＩ及びＳＣＳＩ等の標準インターフェースに準拠している。インターフェース５３は光記録媒体の記録装置のインターフェース１５と接続されている。なお、各インターフェース間の接続形態は、通信ケーブル（例えばＳＣＳＩケーブル）などの通信線を用いたケーブル接続だけでなく、赤外線などを利用したワイヤレス接続であっても良い。
【００５３】
記録装置（ハード記録媒体ＨＤＤ）５４には、主制御装置のマイクロコンピュータで解読可能なコードで記述されたプログラムが格納されている。なお、情報処理装置の駆動電源がオン状態になると、上記プログラムは主制御装置のメインメモリにロードされる。
【００５４】
表示装置５６は、例えばＣＲＴ 、液晶ディスプレイ（ＬＣＤ）及びプラズマディスプレイパネル（ＰＤＰ）などの表示部（図示省略）を備え、主制御装置からの各種情報を表示する。
【００５５】
入力装置５５は、例えばキーボード、マウス及びポインティングデバイスなどのうち少なくとも１つの入力媒体（図示省略）を備え、ユーザから入力された各種情報を主制御装置に通知する。なお、入力媒体からの情報はワイヤレス方式で入力されても良い。また、表示装置と入力装置とが一体化したものとして、例えばタッチパネル付きＣＲＴ などがある。
【００５６】
また、情報処理装置はオペレーティングシステム（、以下「ＯＳ」という）を搭載している。そして、情報処理装置を構成する全てのデバイスはＯＳによって管理されているものとする。
【００５７】
本発明の効果を奏する記録装置としては、光記録媒体の記録条件に関する判断情報として光記録媒体１００（２００）の製造方法に関する情報を読み出す機能を有し，既に記憶されている製造方法の情報と比較参照する機能を有し、参照した製造方法に対応する光記録媒体に適した記録条件の設定（サーボ設定、記録光発光波形の設定）機能を有することにより実現可能である。
【００５８】
例えば、図３の記録再生装置を用いた場合、測定された条件に合わせて記録波形を算出する機能をＣＰＵ１８に有し、記録波形を変更して記録可能な機能をパルスジェネレータ２０に有することにより実現可能である。記録波形変形の条件としてはレーザーコントローラ９の記録パワーの設定値が好適である。
【００５９】
また、光記録媒体のメーカー情報、バージョン情報などから最適化された設定がある場合はその設定条件を用い、未知の光記録媒体のみ製造方法に関する情報を用いることにより各メディアにより好適な記録方法を設定できる。
【００６０】
本発明の記録装置に必要な構成としては、一般的なＣＤ−Ｒ／ＲＷドライブ、ＤＶＤ−Ｒ、ＤＶＤ−ＲＷ、ＤＶＤ＋ＲＷドライブにおける光記録媒体に記録する機能に、記録波形を変更する条件を評価する機能及び記録波形を変更して記録を続行する機能を有することにより実現可能である。
【００６１】
図５に、光記録媒体への記録条件（サーボパラメータ、記録ストラテジパラメータ）の判断手順の例を示す。
ここでは、光記録媒体の対応記録速度、種類などの情報が既知か（ドライブが認識するか）を判断するステップ（Ｓ１）と、光記録媒体のメーカー情報やバージョン情報が既知かを判断するステップ（Ｓ２）と、光記録媒体の製造方法が既知かをリビジョン情報から判断するステップ（Ｓ３）とを備え、各ステップで判断された条件に応じてサーボ設定や記録ストラテジを変更することにより、光記録媒体ごとの記録条件の設定が実現可能である。
【実施例】
【００６２】
以下、実施例をもとに本発明の効果を述べる。
本実施例として、二層タイプＤＶＤ＋Ｒ（ＤＶＤ＋Ｒ＿ＤＬ）ディスクを用い、図６に記載の情報形式で光記録媒体の製造方法に関する情報（製造情報）を記録用案内溝の蛇行として刻み込まれる信号として記載した。
具体的には、実施例１のサンプルとして逆積層法で作成し、図６（ｂ）に示す情報形式のうち記号Ｘにあたる領域に判別情報として「１」を記録した光記録媒体、実施例２のサンプルとして２Ｐ法で作成し、図６（ｂ）に示す情報形式のうち記号Ｘにあたる領域に判別情報として「０」を記録した光記録媒体、比較例のサンプルとして逆積層法で作成し、図６（ｂ）に示す情報形式のうち記号Ｘにあたる領域に判別情報を記載していない光記録媒体を用いた。
【００６３】
なお、本実施例の光記録媒体において、製造情報を記載した領域（図６（ｂ）に示す情報形式のうち記号Ｘにあたる領域）は、光記録媒体メーカーが任意の情報を記載できる領域（リビジョン情報）であり、従来の記録装置では光記録媒体の認識に用いていない領域になっている。そのため、本発明に対応していない記録装置に対しては、従来どおりの記録再生を行うことができる。
【００６４】
本発明の実施として、図３に記載の機能を持つ記録装置において記録再生動作の可否を評価した。本実施の記録装置において、製造条件が記載されていない未知の記録媒体の記録光波形、サーボ条件は２Ｐ法の光記録媒体の記録方法を採用することとした。
【００６５】
以上の結果を表１に示す。
本発明の実施例では両光記録媒体とも記録再生可能だったが、比較例の場合、光記録媒体に対するフォーカスサーボ特性が合わず、記録エラーを発生した。
【００６６】
【表１】
2007080406.tif 000003
【図面の簡単な説明】
【００６７】
【図１】本発明に係る光記録媒体の構成例（１）を示す断面図である。
【図２】本発明に係る光記録媒体の構成例（２）を示す断面図である。
【図３】本発明の光記録媒体に好適な記録装置の構成を示すブロック図である。
【図４】図３に示す記録装置を備えた情報処理装置の構成例を示すブロック図である。
【図５】図３に示す記録装置における光記録媒体への記録条件の判断手順の例を示すフローチャートである。
【図６】本発明の光記録媒体に記録される情報形式の例を示す図である。
【符号の説明】
【００６８】
２    スピンドルモータ
３    光ピックアップ
４    モータドライバ
５    リードアンプ
６    サーボ手段
７    ＤＶＤデコーダ
８    ＡＤＩＰデコーダ
９    レーザコントローラ
１０    ＤＶＤエンコーダ
１１    ＤＶＤ−ＲＯＭエンコーダ
１２    バッファＲＡＭ
１３    バッファマネジャー
１４    ＤＶＤ−ＲＯＭデコーダ
１５    ＡＴＡＰＩ／ＳＣＳＩインターフェース
１６    Ｄ／Ａコンバータ
１７    ＲＯＭ
１８    ＣＰＵ
１９    ＲＡＭ
２０    パルスジェネレータ
５０    情報処理装置
５１    光ディスク装置（記録装置）
５２    主制御装置
５３    インターフェース
５４    記録装置（ＨＤＤ）
５５    入力装置
５６    表示装置
１００，２００    光記録媒体
１０１，１０７，２０１，２０７    基板
１０２，１０５，２０２，２０５    記録層
１０３，１０６，２０３，２０６    反射層
２０４    Ｌ１記録用案内溝形成層
【図１】
2007080406.tif 000004
【図２】
2007080406.tif 000005
【図３】
2007080406.tif 000006
【図４】
2007080406.tif 000007
【図５】
2007080406.tif 000008
【図６】
2007080406.tif 000009